(57)【要約】【課題】装置構造の簡素化および小型化を実現するとともに、装置周辺におけるスペースの有効活用を図ることが可能な据え置き型スキャナ装置を提供すること。【解決手段】イメージャスキャナ２０と、支持部８３とを備え、イメージャスキャナ２０は、支持部８３に対して水平軸を中心として回動可能な状態で支持される据え置き型スキャナ装置１０であって、イメージャ取り付け部材３０と、イメージャ取り付け部材３０を回動可能な状態で支持する支持フレーム４０とを備え、支持フレーム４０は、イメージャ取り付け部材３０の左右の側面に延在する板状のガイド部４２を有し、イメージャ取り付け部材３０は、ガイド部４２に対応する位置に設けられた板状の傾斜保持部３２を有し、ガイド部４２の板状の面と傾斜保持部３２の板状の面との摩擦によって、イメージャスキャナ２０の回動位置を保持する据え置き型スキャナ装置１０。【選択図】図２
2014026632.tif 000002
【特許請求の範囲】
【請求項１】
商品コードを読み取るイメージャスキャナと、前記イメージャスキャナを支持する支持部とを備え、前記イメージャスキャナは、前記支持部に対して水平軸を中心として回動可能な状態で支持される据え置き型スキャナ装置であって、
前記イメージャスキャナに固定されるイメージャ取り付け部材と、前記支持部に固定され前記イメージャ取り付け部材を回動可能な状態で支持する支持フレームとを備え、
前記支持フレームは、前記イメージャ取り付け部材の左右の側面に延在する板状のガイド部を有し、
前記イメージャ取り付け部材は、前記ガイド部に対応する位置に設けられた板状の傾斜保持部を有し、
前記ガイド部の板状の面と前記傾斜保持部の板状の面との摩擦によって、前記イメージャスキャナの回動位置を保持することを特徴とする据え置き型スキャナ装置。
【請求項２】
前記イメージャ取り付け部材には、第１係合部品が固定され、
前記支持フレームには、前記第１係合部品に着脱可能に係合する第２係合部品が固定されていることを特徴とする請求項１に記載の据え置き型スキャナ装置。
【請求項３】
前記イメージャ取り付け部材には、前記第１係合部品が２つ固定され、
前記支持フレームには、前記第２係合部品が２つ固定され、
前記第１係合部品の一方は、前記イメージャスキャナがその回動方向の最前方位置に回動した時に、前記第２係合部品の一方に係合するように設置され、
前記第１係合部品のうち他方は、前記イメージャスキャナがその回動方向の最後方位置に回動した時に、前記第２係合部品の他方に係合するように設置されていることを特徴とする請求項２に記載の据え置き型スキャナ装置。
【発明の詳細な説明】
【技術分野】
【０００１】
本発明は、イメージャスキャナを備えた据え置き型スキャナ装置に関し、特に、イメージャスキャナの読取可能領域を上下方向に動かすことが可能な据え置き型スキャナ装置に関する。
【背景技術】
【０００２】
一般に、店員の一人が、顧客が購入する商品の商品登録作業を行い、他の店員の一人が精算作業を行うＰＯＳ（Ｐｏｉｎｔ  Ｏｆ  Ｓａｌｅｓ）システムで商品登録作業に使用される据え置き型スキャナ装置には、ＣＣＤ（Ｃｈａｒｇｅ  Ｃｏｕｐｌｅｄ  Ｄｅｖｉｃｅ）イメージセンサ等のイメージャで商品のバーコードを読み取る、イメージャスキャナと呼称されるものを使用するものがある。
【０００３】
このイメージャスキャナは、読取可能領域がレーザ型スキャナに比べると狭いため、イメージャスキャナを有する据え置き型スキャナ装置では、オペレータが最適な高さ位置で読取操作を行えるように、イメージャスキャナの読取可能領域を上下方向に動かす機構を備えている必要がある。
【０００４】
イメージャスキャナの読取可能領域を上下方向に動かす機構を備えた据え置き型スキャナ装置として、従来、ＣＣＤ撮像素子等のエリアイメージセンサを使用した、バーコード読取装置自体の高さを変更可能な昇降機構を備えるバーコードスキャナが知られている（特許文献１参照。）。
【先行技術文献】
【特許文献】
【０００５】
【特許文献１】特開２００９−０７５７８４号公報
【発明の概要】
【発明が解決しようとする課題】
【０００６】
ところが、特許文献１に記載のバーコードスキャナは、一対の支柱に設けた案内溝に沿ってバーコード読取装置自体をスライドさせて上下動させるものであるため、上下方向における各位置においてバーコード読取装置の重量を支持する必要がある等、装置構造が複雑化かつ大型化し、その分、コスト高になるという問題があった。
【０００７】
また、特許文献１に記載のバーコードスキャナでは、バーコード読取装置自体を上下に移動させるための移動スペースを必要とするが、当該移動スペースは、バーコード読取装置を上下動させるためのものであるため、当該移動スペースを他目的、例えばカゴ等を置くためのスペースとして利用することが難しく、装置周辺におけるスペースの有効活用の点でも課題がある。
【０００８】
そこで、本発明は、従来の問題を解決するものであって、すなわち、本発明の目的は、装置構造の簡素化および小型化を実現するとともに、装置周辺におけるスペースの有効活用を図ることが可能な据え置き型スキャナ装置を提供することである。
【課題を解決するための手段】
【０００９】
本発明の据え置き型スキャナ装置は、商品コードを読み取るイメージャスキャナと、前記イメージャスキャナを支持する支持部とを備え、前記イメージャスキャナは、前記支持部に対して水平軸を中心として回動可能な状態で支持される据え置き型スキャナ装置であって、前記イメージャスキャナに固定されるイメージャ取り付け部材と、前記支持部に固定され前記イメージャ取り付け部材を回動可能な状態で支持する支持フレームとを備え、前記支持フレームは、前記イメージャ取り付け部材の左右の側面に延在する板状のガイド部を有し、前記イメージャ取り付け部材は、前記ガイド部に対応する位置に設けられた板状の傾斜保持部を有し、前記ガイド部の板状の面と前記傾斜保持部の板状の面との摩擦によって、前記イメージャスキャナの回動位置を保持することにより、前述した課題を解決したものである。
【発明の効果】
【００１０】
本発明では、イメージャスキャナを水平軸を中心として回動可能な状態で支持することにより、イメージャスキャナを回動させることで読取可能領域を上下方向に動かすことが可能であるため、装置構造が複雑化かつ大型化しがちな昇降機構を設置することなく、装置構造を簡素化かつ小型化でき、コストを低減できる。
【００１１】
また、本発明では、イメージャスキャナ自体を上下動させることがないため、イメージャスキャナの下方のスペースを他目的のスペース、例えばカゴ等を置くためのスペースとして活用できる等、装置周辺におけるスペースの有効活用を図ることができる。
【図面の簡単な説明】
【００１２】
【図１】本発明の一実施形態である据え置き型スキャナ装置を示す斜視図である。
【図２】イメージャスキャナ、イメージャ取り付け部材、および支持フレームを中心として示す斜視図である。
【図３】イメージャスキャナ、イメージャ取り付け部材、および支持フレームを中心として示す断面図と、第１係合部品および第２係合部品を拡大して示す斜視図である。
【図４】イメージャスキャナを回動させた場合の読取可能領域、および、装置周辺におけるスペース利用を説明するための説明図である。
【図５】イメージャ取り付け部材にイメージャスキャナを取り付けた状態を示す斜視図である。
【図６】イメージャ取り付け部材を示す斜視図、および、第１係合部品を拡大して示す斜視図である。
【図７】支持フレームを示す斜視図、および、第２係合部品を拡大して示す斜視図である。
【発明を実施するための形態】
【００１３】
以下、本発明の据え置き型スキャナ装置の一実施形態を図面に基づいて説明する。
【実施例】
【００１４】
本実施形態の据え置き型スキャナ装置１０は、店員の１人が、顧客が購入する商品の商品登録作業を行うとともに他の店員の１人が精算作業を行うＰＯＳ（Ｐｏｉｎｔ  Ｏｆ  Ｓａｌｅｓ）システムにおいて、商品登録作業に使用されるものである。
【００１５】
据え置き型スキャナ装置１０は、図１に示すように、商品に付された商品コードを読み取るＣＣＤ（Ｃｈａｒｇｅ  Ｃｏｕｐｌｅｄ  Ｄｅｖｉｃｅ）イメージセンサ等のイメージャスキャナ２０と、各種入力を受け付けるキーボード８０と、タッチパネル付きの店員用表示器８１と、顧客用表示器８２と、これら各部を支持する支柱（支持部）８３と、フキン（布巾）を収容するためのフキン収容部８４とを備えている。なお、図１の符号８５は、据え置き型スキャナ装置１０を載置するサッカー台（載置台）である。
【００１６】
イメージャスキャナ２０は、図２または図３に示すように、イメージャスキャナ２０を固定状態で収容するイメージャ取り付け部材３０と、支柱（支持部）８３の内部に固定されイメージャ取り付け部材３０を、軸部材５０を回動軸として回動可能な状態で支持する支持フレーム４０とを介して、水平軸を中心に回動可能な状態で支柱（支持部）８３に取り付けられている。なお、図３においては、イメージャスキャナ２０の内部については、図示を省略している。
【００１７】
ここで、本実施形態では、図４に示すように、イメージャスキャナ２０を約１０°の角度範囲で回動させることが可能である。このように、イメージャスキャナ２０の回動範囲を１０°に設定した場合、イメージャスキャナ２０の読取可能領域を上下方向に約４０ｍｍ動かすことができる。イメージャスキャナ２０の回動可能範囲は、上記の１０°に限定されず、例えば１０°以上であってもよい。
【００１８】
なお、図４の符号２０ａは、イメージャスキャナ２０を回動させていない状態（すなわち、イメージャスキャナ２０をその回動方向の最後方位置に回動させた状態）を示し、符号Ｒａは、イメージャスキャナ２０ａの読取可能領域を示している。また、図４の符号２０ｂは、イメージャスキャナ２０を前方に約１０°回動させた状態（すなわち、イメージャスキャナ２０をその回動方向の最前方位置に回動させた状態）を示し、符号Ｒｂは、イメージャスキャナ２０ｂの読取可能領域を示している。
【００１９】
本実施形態の据え置き型スキャナ装置１０では、イメージャスキャナ２０が０〜１０°の角度範囲のどの位置にある場合でも、そのイメージャスキャナ２０の位置を保持する機構が設けられており、当該機構を以下に説明する。
【００２０】
まず、イメージャ取り付け部材３０は、図６に示すように、板状の本体部３１の側部に形成された一対の傾斜保持部３２を有し、傾斜保持部３２の後述するガイド部４２に接触する外側面には、表面の摩擦力が高く弾力性のある部品が貼り付けられている。一方、支持フレーム４０は、図７に示すように、板状のフレーム本体部４１から突出する一対のガイド部４２を有している。
【００２１】
これら傾斜保持部３２およびガイド部４２は、イメージャ取り付け部材３０と支持フレーム４０とを相互に組み付けた状態で、互いに接触して配置され、相互間の摩擦によって、様々な角度においてイメージャスキャナ２０の位置を保持する。
【００２２】
また、イメージャ取り付け部材３０には、図６に示すように、その前面の上部付近と、その下部において本体部３１に一体形成された突出板部３３の底部との２箇所に、樹脂製の第１係合部品６０が固定されている。なお、図６においては、第１係合部品６０ｂは、図６の角度では実際に見ることのできない突出板部３３の裏側に固定されている。一方、支持フレーム４０には、図７に示すように、その前面の上部付近と、フレーム本体部４１に一体に形成された突出板部４３の上面との２箇所に、樹脂製の第２係合部品７０が固定されている。
【００２３】
第１係合部品６０には、図６に示すように、突起状の第１係合部６１が形成され、一方、第２係合部品７０には、図７に示すように、第１係合部６１を受容して係合するバネ性を有した第２係合部７１が形成されている。
【００２４】
イメージャスキャナ２０を最前方に回動させた時には、第１係合部品６０ａと第２係合部品７０ａとが着脱可能に係合してイメージャスキャナ２０の姿勢を保持する。一方、図３に示すように、イメージャスキャナ２０を最後方に回動させた時には、第１係合部品６０ｂと第２係合部品７０ｂとが着脱可能に係合してイメージャスキャナ２０の姿勢を保持する。
【００２５】
このようにして得られた本実施形態では、イメージャスキャナ２０を水平軸を中心として回動可能な状態で支持することにより、イメージャスキャナ２０を回動させることで読取可能領域を上下方向に動かすことが可能であるため、装置構造が複雑化かつ大型化しがちな昇降機構を設置することなく、装置構造を簡素化かつ小型化でき、コストを低減できる。
【００２６】
また、本実施形態では、イメージャスキャナ２０自体を上下動させることがないため、図４に示すように、イメージャスキャナ２０の下方のスペースＸを他目的のスペース、例えばカゴ等を置くためのスペースとして活用できる等、装置周辺におけるスペースの有効活用を図ることができる。これに対し、イメージャスキャナ２０自体を昇降させるように構成した場合には、図４の位置Ｙまでしかカゴ等を置くことができない。なお、本実施形態では、図１に示すように、イメージャスキャナ２０の下方にフキン収容部８４を設置しているが、イメージャスキャナ２０の下方のスペースＸをカゴ等を置くためのスペースとして利用する場合には、フキン収容部８４を設置しなければよい。
【００２７】
上述した実施形態では、イメージャスキャナ２０の回動位置を制御する機構として、傾斜保持部３２およびガイド部４２と、第１係合部品６０および第２係合部品７０とを具体例として挙げた。しかしながら、イメージャスキャナ２０を所定の範囲で回動可能で、回動範囲のどの位置でも、その位置を保持する機構は、上述の機構でなくともよく、例えば、回動軸となる軸部材５０の端部に回動範囲のどの位置でも、その位置を保持する機構を備えるものであってもよい。
【００２８】
また、上述した実施形態では、店員の一人が、顧客が購入する商品の商品登録作業を行い、他の店員の一人が精算作業を行うＰＯＳシステムで商品登録作業に使用される据え置き型スキャナに適用する場合について説明したが、他の据え置き型スキャナ（例えば、顧客自身が商品登録作業を行うセルフスキャニング装置）に適用してもよい。
【符号の説明】
【００２９】
１０  ・・・  据え置き型スキャナ装置
２０  ・・・  イメージャスキャナ
３０  ・・・  イメージャ取り付け部材
３１  ・・・  本体部
３２  ・・・  傾斜保持部
３３  ・・・  突出板部
４０  ・・・  支持フレーム
４１  ・・・  フレーム本体部
４２  ・・・  ガイド部
４３  ・・・  突出板部
５０  ・・・  軸部材
６０  ・・・  第１係合部品
６１  ・・・  第１係合部
７０  ・・・  第２係合部品
７１  ・・・  第２係合部
８０  ・・・  キーボード
８１  ・・・  店員用表示器
８２  ・・・  顧客用表示器
８３  ・・・  支柱（支持部）
８４  ・・・  フキン収容部
８５  ・・・  サッカー台
【図１】
2014026632.tif 000003
【図２】
2014026632.tif 000004
【図３】
2014026632.tif 000005
【図４】
2014026632.tif 000006
【図５】
2014026632.tif 000007
【図６】
2014026632.tif 000008
【図７】
2014026632.tif 000009
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
商品コードを読み取るイメージャスキャナと、前記イメージャスキャナを支持する支持部とを備え、前記イメージャスキャナは、前記支持部に対して水平軸を中心として回動可能な状態で支持される据え置き型スキャナ装置であって、
前記イメージャスキャナに固定されるイメージャ取り付け部材と、前記支持部に固定され前記イメージャ取り付け部材を回動可能な状態で支持する支持フレームとを備え、
前記支持フレームは、前記イメージャ取り付け部材の左右の側面に延在する板状のガイド部を有し、
前記イメージャ取り付け部材は、前記ガイド部に対応する位置に設けられた板状の傾斜保持部を有し、
前記ガイド部の板状の面と前記傾斜保持部の板状の面との摩擦によって、前記イメージャスキャナの回動位置を保持するものであり、
前記イメージャ取り付け部材の下部に、回動のための軸が設けられ、前記傾斜保持部は、前記回動のための軸とは離間した位置に設けられていることを特徴とする据え置き型スキャナ装置。
【請求項２】
前記傾斜保持部は、前記イメージャ取り付け部材の上部付近に設けられていることを特徴とする請求項１に記載の据え置き型スキャナ装置。
【請求項３】
前記イメージャ取り付け部材には、第１係合部品が固定され、
前記支持フレームには、前記第１係合部品に着脱可能に係合する第２係合部品が固定されていることを特徴とする請求項１または請求項２に記載の据え置き型スキャナ装置。
【請求項４】
前記イメージャ取り付け部材には、前記第１係合部品が２つ固定され、
前記支持フレームには、前記第２係合部品が２つ固定され、
前記第１係合部品の一方は、前記イメージャスキャナがその回動方向の最前方位置に回動した時に、前記第２係合部品の一方に係合するように設置され、
前記第１係合部品のうち他方は、前記イメージャスキャナがその回動方向の最後方位置に回動した時に、前記第２係合部品の他方に係合するように設置されていることを特徴とする請求項３に記載の据え置き型スキャナ装置。
【手続補正２】
【補正対象書類名】明細書
【補正対象項目名】０００９
【補正方法】変更
【補正の内容】
【０００９】
本発明の据え置き型スキャナ装置は、商品コードを読み取るイメージャスキャナと、前記イメージャスキャナを支持する支持部とを備え、前記イメージャスキャナは、前記支持部に対して水平軸を中心として回動可能な状態で支持される据え置き型スキャナ装置であって、前記イメージャスキャナに固定されるイメージャ取り付け部材と、前記支持部に固定され前記イメージャ取り付け部材を回動可能な状態で支持する支持フレームとを備え、前記支持フレームは、前記イメージャ取り付け部材の左右の側面に延在する板状のガイド部を有し、前記イメージャ取り付け部材は、前記ガイド部に対応する位置に設けられた板状の傾斜保持部を有し、前記ガイド部の板状の面と前記傾斜保持部の板状の面との摩擦によって、前記イメージャスキャナの回動位置を保持するものであり、前記イメージャ取り付け部材の下部に、回動のための軸が設けられ、前記傾斜保持部は、前記回動のための軸とは離間した位置に設けられていることにより、前述した課題を解決したものである。